【事件の表示】
　特許第６６９１８４２号発明「筒状リールシート及びリールシート本体並びに釣竿」の特許異議申立事件について、次のとおり決定する。
【結　論】
　特許第６６９１８４２号の特許請求の範囲を訂正請求書に添付された訂正特許請求の範囲のとおり、訂正後の請求項〔１−３、５、６〕、〔４〕について訂正することを認める。
　特許第６６９１８４２号の請求項１ないし６に係る特許を維持する。
【理　由】
１　手続の経緯
　特許第６６９１８４２号の請求項１ないし６に係る特許についての出願は、平成２８年７月１日に出願され、令和２年４月１５日にその特許権の設定登録がされ、令和２年５月１３日に特許掲載公報が発行された。その後、その特許について、令和２年１１月１１日に特許異議申立人塩川梨絵（以下「申立人」という。）により特許異議の申立てがされ、当審は、令和３年２月５日付けで取消理由を通知した。特許権者は、その指定期間内である令和３年４月１日に意見書の提出及び訂正の請求を行い、その訂正の請求に対して、申立人は、令和３年５月１０日に意見書を提出した。
２　訂正の適否についての判断
（１）訂正の内容
　令和３年４月１日付けの訂正請求（以下「本件訂正請求」という。）による訂正の内容は、以下のア、イのとおりである。（下線は訂正箇所を示す。）
　ア　訂正事項１
　特許請求の範囲の請求項１に、
「ブリッジ部は、その軸線方向の中途部を軸線方向と直交する方向に切断した横断面視において、外面と内面が共に径方向外側に湾曲した外側凸の横断面形状を有している」と記載されているのを、
「ブリッジ部は、その軸線方向の中途部を軸線方向と直交する方向に切断した横断面視において、外面と内面が共に径方向外側に湾曲した外側凸の横断面形状を有
し、
　
ブリッジ部の外面は、軸線方向に沿って反リール装着側に膨出した形状であり、膨出形状のピーク部は、リール脚の足首部の中心線よりも第二筒部側に位置している
　イ　訂正事項２
　特許請求の範囲の請求項４に、
「ブリッジ部は、その軸線方向の中途部を軸線方向と直交する方向に切断した横断面視において、外面と内面が共に径方向外側に湾曲した外側凸の横断面形状を有している」と記載されているのを、
「ブリッジ部は、その軸線方向の中途部を軸線方向と直交する方向に切断した横断面視において、外面と内面が共に径方向外側に湾曲した外側凸の横断面形状を有
し、
ブリッジ部の外面は、軸線方向に沿って反リール装着側に膨出した形状であり、膨出形状のピーク部は、リール脚の足首部の中心線よりも第二筒部側に位置している
（２）訂正の目的の適否、新規事項の有無、及び特許請求の範囲の拡張・変更の存否
　ア　訂正事項１について
　（ア）訂正の目的
　訂正事項１は、訂正前の請求項１に記載された「ブリッジ部」について、「ブリッジ部の外面は、軸線方向に沿って反リール装着側に膨出した形状であり、膨出形状のピーク部は、リール脚の足首部の中心線よりも第二筒部側に位置している」ものに限定する訂正であるから、特許請求の範囲の減縮を目的とするものである。
　（イ）特許請求の範囲の拡張・変更
　訂正事項１は、上記（ア）のとおり、特許請求の範囲の減縮を目的とするものであるから、特許請求の範囲を拡張し又は変更するものではないことは明らかである。
　（ウ）新規事項
　本件特許明細書の段落【００１８】には、「筒状リールシート１の外周面は、図１に示すような正面視において、反リール装着側に山型に膨出した形状となっており、反リール装着側の外周面の膨出形状のピーク部Ｐ（頂上部）は、リール脚３の足首部４ａの中心線４ｂよりも若干固定ナット９側に位置している。反リール装着側の外周面は、ピーク部Ｐから固定ナット９側即ち軸線方向の他端部側に向けてなだらかにリール装着側に下降していき、リールシート本体７から可動フード８へと連続して下降していく。反リール装着側の外周面は、ピーク部Ｐから軸線方向の他端部側に向けても徐々にリール装着側に下降していく形状となっている。」と、また段落【００２４】には、「このようにリールシート本体７のリール装着側に凹部１５が形成されることにより、リールシート本体７は、軸線方向の一端部７ａ側に位置する第一筒部２１と、軸線方向の他端部７ｂ側に位置する第二筒部２２と、第一筒部２１と第二筒部２２とを反リール装着側において軸線方向に連結するブリッジ部２３とから構成される。」と記載され、図１及び図５をみると、ピーク部Ｐが、足首部４ａの中心線４ｂよりも第二筒部２２側に位置していることが看取できる。
　よって、訂正事項１は、願書に添付した明細書、特許請求の範囲又は図面に記載した事項の範囲内においてされたものである。
　イ　訂正事項２について
　訂正事項２は、訂正事項１と同様の訂正であるから、上記アで検討した理由と同様の理由により、特許請求の範囲の減縮を目的とし、特許請求の範囲を拡張し又は変更するものではなく、願書に添付した明細書、特許請求の範囲又は図面に記載した事項の範囲内においてされたものである。
（３）一群の請求項について
　訂正前の請求項１〜３、５、６について、請求項２、３、５、６は、請求項１の記載を直接または間接的に引用し、請求項１の訂正に伴って訂正されるものであるから、請求項１〜３、５、６は、一群の請求項である。
（４）訂正の適否のまとめ
　以上のとおりであるから、本件訂正請求による訂正は、特許法第１２０条の５第２項ただし書第１号に掲げる事項を目的とするものであり、かつ、同条第９項において準用する同法第１２６条第５項及び第６項の規定に適合する。
　したがって、特許請求の範囲を、訂正請求書に添付された訂正特許請求の範囲のとおり、訂正後の請求項〔１〜３、５、６〕、〔４〕について訂正することを認める。
３　訂正後の本件発明
　本件訂正請求により訂正された請求項１ないし６に係る発明（以下「本件発明１」等といい、全体を「本件発明」という。）は、訂正特許請求の範囲の請求項１ないし６に記載された次の事項により特定されるとおりのものである。
「【請求項１】
　竿本体が挿通する竿挿通孔が形成され、軸線方向の一端部側にはリール脚の一方の脚先部を固定するための固定フード部が形成され、軸線方向の他端部側の外周面には雄ネジ部が形成された、一部材からなるリールシート本体を備えた筒状リールシートであって、
　リールシート本体は、軸線方向の一端部側に位置し、固定フード部を有する第一筒部と、軸線方向の他端部側に位置し、雄ネジ部を有する第二筒部と、第一筒部と第二筒部を反リール装着側において連結するブリッジ部とを備え、
　リールシート本体には、リール装着側から反リール装着側に向けて凹んだ凹部が竿挿通孔を反リール装着側に越えて深く形成されていて、該凹部により竿挿通孔は分断されて第一筒部と第二筒部にそれぞれ形成されていると共にブリッジ部の内面は竿挿通孔よりも径方向外側に位置し、
　ブリッジ部は、その軸線方向の中途部を軸線方向と直交する方向に切断した横断面視において、外面と内面が共に径方向外側に湾曲した外側凸の横断面形状を有し、
　ブリッジ部の外面は、軸線方向に沿って反リール装着側に膨出した形状であり、膨出形状のピーク部は、リール脚の足首部の中心線よりも第二筒部側に位置していることを特徴とする筒状リールシート。
【請求項２】
　ブリッジ部の第一筒部側の端部における両側縁部は、反リール装着側の半周分を越えてリール装着側に延びていると共に、第一筒部における竿挿通孔の凹部側の開口部から径方向外側に離間している請求項１記載の筒状リールシート。
【請求項３】
　ブリッジ部の第一筒部側の端部における両側縁部は、固定フード部の開口縁部の左右両端部と連続している請求項２記載の筒状リールシート。
【請求項４】
　竿本体が挿通する竿挿通孔が形成され、軸線方向の一端部側にはリール脚の一方の脚先部を固定するための固定フード部が形成され、軸線方向の他端部側の外周面には雄ネジ部が形成された、一部材からなるリールシート本体であって、
　軸線方向の一端部側に位置し、固定フード部を有する第一筒部と、軸線方向の他端部側に位置し、雄ネジ部を有する第二筒部と、第一筒部と第二筒部を反リール装着側において連結するブリッジ部とを備え、
　リール装着側から反リール装着側に向けて凹んだ凹部が竿挿通孔を反リール装着側に越えて深く形成されていて、該凹部により竿挿通孔は分断されて第一筒部と第二筒部にそれぞれ形成されていると共にブリッジ部の内面は竿挿通孔よりも径方向外側に位置し、
　ブリッジ部は、その軸線方向の中途部を軸線方向と直交する方向に切断した横断面視において、外面と内面が共に径方向外側に湾曲した外側凸の横断面形状を有し、
　ブリッジ部の外面は、軸線方向に沿って反リール装着側に膨出した形状であり、膨出形状のピーク部は、リール脚の足首部の中心線よりも第二筒部側に位置していることを特徴とする筒状リールシートのリールシート本体。
【請求項５】
　請求項１乃至３の何れかに記載の筒状リールシートを備えた釣竿。
【請求項６】
　ブリッジ部が竿本体から離間していて、第一筒部と第二筒部との間において竿本体が全周に亘って露出している請求項５記載の釣竿。」
４　取消理由通知に記載した取消理由について
（１）取消理由の概要
　訂正前の請求項１ないし６に係る特許に対して、当審が令和２年２月５日付けで特許権者に通知した取消理由の要旨は、次のとおりである。
　ア　本件発明１、２、４〜６は、甲第１号証に記載された発明であって、特許法第２９条第１項第３号に該当するか、甲第１号証に記載された発明に基いて当業者が容易に想到することができたものであるから、本件発明１、２、４〜６に係る特許は、特許法第２９条第１項の規定に違反してされたものであるか、同法第２９条第２項の規定に違反してされたものである。
　イ　本件発明１〜６は、甲第２号証に記載された発明及び甲第１号証に記載された発明又は周知技術に基いて、当業者が容易に想到することができたものであるから、本件発明１〜６に係る特許は、特許法第２９条第２項の規定に違反してされたものである。
　甲第１号証：登録意匠第９２５９９１号公報
　甲第２号証：実用新案登録第２５４０１０４号公報
（２）甲号証の記載
　ア　甲第１号証
　甲第１号証には、以下の事項が記載されている。
　（ア）「(54)意匠に係る物品　
釣竿用リールシート
本体
　（イ）図面
　（ウ）上記（イ）の図に申立人が説明を加えた特許異議申立書８〜９頁の図は、以下のとおり。
　（エ）上記（ウ）のうち、特にＥ−Ｅ断面図をみると、リールシート本体は、
・竿本体が挿通するように前後（図では上下）の竿挿通孔が同軸上に形成され、軸線方向の一端部側にはリール脚の一方の脚先部を固定するための固定フード部が形成され、軸線方向の他端部側の外周面には雄ネジ部が形成されている点、
・軸線方向の一端部側に位置し、固定フード部を有する第一筒部と、軸線方向の他端部側に位置し、雄ネジ部を有する第二筒部と、第一筒部と第二筒部を反リール装着側において連結するブリッジ部とを備えており、これらが一部材から構成されている点、が看取できる。
　（オ）上記（ウ）のうち、特にＥ−Ｅ断面図及び使用状態参考図をみると、
・リールシート本体には、リール装着側から反リール装着側に向けて凹んだ凹部が竿挿通孔を反リール装着側に越えて深く形成されていて、該凹部により竿挿通孔は分断されて第一筒部と第二筒部にそれぞれ形成されている点、
・ブリッジ部の外面は、軸線方向に沿って反リール側に膨出した形状である点、
・ブリッジ部が竿本体から離間していて、第一筒部と第二筒部との間において竿本体が全周に亘って露出している点、が看取できる。
　（カ）上記（ウ）のうち、特に右側面図、Ｅ−Ｅ断面図、Ａ−Ａ断面図、Ｂ−Ｂ断面図、Ｃ−Ｃ断面図をみると、
・ブリッジ部の内面は竿挿通孔よりも径方向外側に位置している点、
・ブリッジ部はその軸線方向の中途部を軸線方向と直交する方向に切断した横断面視において、外面と内面が共に径方向外側に湾曲した外側凸の横断面形状を有している点、
・ブリッジ部の第一筒部側の端部における両側縁部は、反リール装着側の半周分を越えてリール装着側に延びていると共に、第一筒部における竿挿通孔の凹部側の開口部から径方向外側に離間している点、が看取できる。
　（キ）上記（ア）ないし（カ）からみて、甲第１号証には、次の発明（以下「甲１発明」という。）が記載されている。
「竿本体が挿通する竿挿通孔が形成され、軸線方向の一端部側にはリール脚の一方の脚先部を固定するための固定フード部が形成され、軸線方向の他端部側の外周面には雄ネジ部が形成された、一部材からなるリールシート本体を備えた釣竿用リールシートであって、
　リールシート本体は、軸線方向の一端部側に位置し、固定フード部を有する第一筒部と、軸線方向の他端部側に位置し、雄ネジ部を有する第二筒部と、第一筒部と第二筒部を反リール装着側において連結するブリッジ部とを備え、
　リールシート本体には、リール装着側から反リール装着側に向けて凹んだ凹部が竿挿通孔を反リール装着側に越えて深く形成されていて、該凹部により竿挿通孔は分断されて第一筒部と第二筒部にそれぞれ形成されていると共にブリッジ部の内面は竿挿通孔よりも径方向外側に位置し、
　ブリッジ部は、その軸線方向の中途部を軸線方向と直交する方向に切断した横断面視において、外面と内面が共に径方向外側に湾曲した外側凸の横断面形状を有し、
　ブリッジ部の外面は、軸線方向に沿って反リール側に膨出した形状であり、
　ブリッジ部の第一筒部側の端部における両側縁部は、反リール装着側の半周分を越えてリール装着側に延びていると共に、第一筒部における竿挿通孔の凹部側の開口部から径方向外側に離間しており、
　ブリッジ部が竿本体から離間していて、第一筒部と第二筒部との間において竿本体が全周に亘って露出している、
　釣竿用リールシート。」
　イ　甲第２号証
　甲第２号証には、以下の事項が記載されている。
　（ア）「【考案の詳細な説明】
【０００１】
【産業上の利用分野】本考案はリール固定部を有する釣竿に関する。特に、小物釣り等の把持する力よりも繊細な釣竿操作が要求される軽量タイプの釣竿に好適である。」
　（イ）「【０００８】
【実施例】以下、本考案を添付図面に示す実施例に基づいて更に詳細に説明する。図１は本考案に係る
釣竿
竿管１０の後端部には釣竿を把持する専用の竿尻グリップ１２が形成されており、その前方位置にはリール
を固定保持するためのリール固定部１４が形成されている
【０００９】この
リール固定部１４は竿管１０に挿入接着された中央のリール固定部本体１６と、その後部の後部グリップ１８と、その前部の回動ナット２０とから構成されている
リール固定部本体１６の前部分の延長部の外周には雄捻子１６Ａが形成されており、その雄捻子１６Ａに螺合する雌捻子２０Ａが回動ナット２０の内周に形成されている
後部グリップ１８は竿管１０に接着固定されており、本実施例ではこの後部グリップ１６の上部を上記リール固定部本体１６の後部延長部１６Ｂが覆っている
【００１０】一方、
リール固定部本体１６の下面側の後方寄りの位置にはリール脚２４の足先部２４Ｂを受け入れるリール足受入部２８Ｂが形成されており、
【００１１】上記リール固定部本体１６は、図３に示す側面視形状において上方に膨出した膨出部を形成しており、上下方向の幅が大きくなり、リール固定部本体１６を把持した際に把持の安定度が向上する。また、その平面視の形状は、図２に示すように前後のリール足受入部２８Ａ，２８Ｂの位置におけるリール固定部本体１６の平面視幅よりも狭い幅狭部２２を、リール脚２４の足先部２４Ａ寄りの位置に形成している。一般にこの幅狭部２２の幅寸法は、竿管１０の直径寸法程度に設定している。」
　（ウ）図３、図４は以下のとおり。
【図３】
【図４】
　（エ）上記（ウ）の図３及び図４をみると、
・リール固定部本体１６には、竿管１０を挿通する竿管挿通孔が形成されている点、
・リール固定部本体１６は、後方側に位置し、リール足受入部２８Ｂを有する第一筒部と、前部分の延長部の外周に雄捻子１６Ａが形成された第二筒部と、第一筒部と第二筒部をリール足受入部２８Ｂの反対側において連結するブリッジ部とを備える点、
・リール固定部本体１６には、リール足受入部２８Ｂ側からリール足受入部２８Ｂの反対側に向けて凹んだ凹部が竿管挿通孔をリール足受入部２８Ｂの反対側に超えて形成されていて、該凹部により竿管挿通孔は分断されて第一筒部と第二筒部にそれぞれ形成されていると共にブリッジ部の内面は竿管挿通孔よりも径方向外側に位置している点、
・ブリッジ部の外面は、軸線方向に沿って反リール側に膨出した形状である点、
・ブリッジ部の第一筒部側の端部における両側縁部は、リール足受入部２８Ｂの反対側の半周分を越えてリール足受入部２８Ｂの側に延びている点、
・ブリッジ部の第一筒部側の端部における両側縁部は、リール足受入部２８Ｂの開口縁部の左右両端部と連続している点、
・ブリッジ部が竿管１０から離間していて、第一筒部と第二筒部との間において竿管１０が全周に亘って露出している点、
が看取できる。
　（オ）上記（ア）ないし（エ）からみて、甲第２号証には、次の発明（以下「甲２発明」という。）が記載されているものと認める。
「竿管１０の後端部には釣竿を把持する専用の竿尻グリップ１２が形成されており、その前方位置にはリールを固定保持するためのリール固定部１４が形成されている釣竿であって、
　リール固定部１４は、釣竿の竿管１０を挿通して接着する竿管挿通孔が形成された中央のリール固定部本体１６と、その後部の後部グリップ１８と、その前部の回動ナット２０とから構成されており、
　リール固定部本体１６の前部分の延長部の外周には雄捻子１６Ａが形成されており、その雄捻子１６Ａに螺合する雌捻子２０Ａが回動ナット２０の内周に形成され、
　後部グリップ１８は竿管１０に接着固定されており、この後部グリップ１６の上部を上記リール固定部本体１６の後部延長部１６Ｂが覆っており、
　リール固定部本体１６の下面側の後方寄りの位置にはリール脚２４の足先部２４Ｂを受け入れるリール足受入部２８Ｂが形成され、
　リール固定部本体１６は、後方寄りの位置にリール足受入部２８Ｂを有する第一筒部と、前部分の延長部の外周に雄捻子１６Ａが形成された第二筒部と、側面視形状において上方に膨出するように形成された膨出部であって、第一筒部と第二筒部をリール足受入部２８Ｂの反対側において連結するブリッジ部とを備え、
　リール固定部本体１６には、リール足受入部２８Ｂ側からリール足受入部２８Ｂの反対側に向けて凹んだ凹部が竿管挿通孔をリール足受入部２８Ｂの反対側に超えて形成されていて、該凹部により竿管挿通孔は分断されて第一筒部と第二筒部にそれぞれ形成されていると共にブリッジ部の内面は竿管挿通孔よりも径方向外側に位置しており、
　ブリッジ部の外面は、軸線方向に沿って反リール側に膨出した形状であり、
　ブリッジ部の第一筒部側の端部における両側縁部は、リール足受入部２８Ｂの反対側の半周分を越えてリール足受入部２８Ｂの側に延びており、
　ブリッジ部の第一筒部側の端部における両側縁部は、リール足受入部２８Ｂの開口縁部の左右両端部と連続しており、
　ブリッジ部が竿管１０から離間していて、第一筒部と第二筒部との間において竿管１０が全周に亘って露出している、
　釣竿。」
（３）参考文献１〜４の記載
　令和３年５月１０日付け意見書に添付された参考文献１〜４には、以下の記載がある。
　ア　参考文献１（特開２００９−２４０２８１号公報）
【図１】
【図３】
　イ　参考文献２（実用新案登録第２５４８０１７号公報）
【図２】
【図３】
　ウ　参考文献３（特許第３６５４５６６号公報）
【図１】
【図２】
　エ　参考文献４（登録意匠第８７８１２５号の類似２公報）
（４）当審の判断
　ア　本件発明１について
　（ア）甲第１号証を主引用例として検討
　本件発明１と甲１発明を対比すると、少なくとも、ブリッジ部の外面において軸線方向に沿って反リール装着側に膨出させた膨出形状のピーク部について、本件発明１は、リール脚の足首部の中心線よりも第二筒部側に位置しているのに対し、甲１発明は、そのように位置していない点で相違している（以下「相違点１」という。）。
　ここで、甲第２号証をみても、上記相違点１に係る構成は記載されていない。
　また、当該相違点１について、申立人は、今般の訂正請求によって限定した上記の「ブリッジ部の外面は、軸線方向に沿って反リール装着側に膨出した形状であり、膨出形状のピーク部は、リール脚の足首部の中心線よりも第二筒部側に位置している」は、単なる周知技術（設計事項）に過ぎず、甲第１号証、甲第２号証に基づく取消理由については何等、解消されるものではない旨（令和３年５月１０日付け意見書３頁５〜９行）主張している。
　しかしながら、申立人が周知例として提示した参考文献１〜８についてみると、膨出部が設けられた部材は、「リール本体には、リール装着側から反リール装着側に向けて凹んだ凹部が竿挿通孔を反リール装着側に超えて深く形成されている」ことにより、「内面は竿挿通孔よりも径方向外側に位置し」た「ブリッジ部」ではない。しかも、参考文献１〜４には、その図面から膨出部のピーク部の位置が竿前方側に位置している（本件発明１における第二筒部側に位置している）ことが看取できるものの、ピーク部の位置についての作用効果の記載は見当たらないし、参考文献５〜８については、その図面に膨出部が看取できるものの、リール脚は記載されていないから、膨出部のピーク部とリール脚の脚首部との位置関係は不明である。
　そして、本件発明１は、特許権者が令和３年４月１日付け意見書で主張するように、本件特許明細書の段落【００４７】〜【００５１】に記載の作用効果を奏するものであって、具体的には、「本件特許発明のリールシートは、前寄り膨出形状という特有の形状を有するブリッジ部を備えることにより、ロッドを上から把持するという独特の把持の仕方において、把持した際のフィット感に優れ、軽くリールシートを把持しても安定させることができ、ロッドを上下に細かく振動させてルアーを演出させることができ、長時間楽に釣りを行うことができるという作用効果を奏する。そして、ブリッジ部の内外内の横断面形状が共に外側凸に湾曲した形状であるので、魚の小さなアタリも、ピーク部に当接している人差し指の付け根あたりで高感度にキャッチできて瞬時にフッキングできる、という作用効果を奏する。」（４頁末行〜５頁８行）ものであると認められる。
　そうすると、仮に膨出部のピーク部の位置が竿前方側に位置している（本件発明１における第二筒部側に位置している）こと自体が周知技術であったとしても、ブリッジ部の形状が異なる甲１発明に上記周知技術を採用する動機付けがあるとはいえないし、単なる設計的事項であるということはできず、甲１発明、甲２発明及び周知技術に基いて、上記相違点１に係る本件発明１の構成とすることは、当業者が容易になし得たことではない。
　よって、本件発明１は、甲１と同一ではなく、また、甲１発明、甲２発明及び周知技術に基いて、当業者が容易に発明をすることができたものではない。
　（イ）甲第２号証を主引用例として検討
　甲第２号証にも上記相違点１に係る構成は記載されておらず、本件発明１と甲２発明との間にも相違点１が存在するところ、上記（ア）で検討したとおり、本件発明１は、甲１発明、甲２発明及び周知技術に基いて、当業者が容易に発明をすることができたものではないから、甲第２号証を主引用例として検討しても、同様に、本件発明１は、甲２発明、甲１発明及び周知技術に基いて、当業者が容易に発明をすることができたものではない。
　イ　本件発明２、３、５、６について
　本件発明２、３、５、６は、本件発明１の構成を全て含み、さらに限定を加えた発明であるから、上記アで示した理由と同じ理由により、甲１発明、甲２発明及び周知技術に基いて、当業者が容易に発明をすることができたものではない。
　ウ　本件発明４について
　（ア）甲第１号証を主引用例として検討
　本件発明４と甲１発明を対比すると、少なくとも、膨出形状のピーク部について、本件発明４は、リール脚の足首部の中心線よりも第二筒部側に位置しているのに対し、甲１発明は、そのように位置していない点で相違している（以下「相違点２」という。）。
　相違点２は、上記ア（ア）で示した相違点１と実質的に同じであるから、上記ア（ア）で示した理由と同じ理由により、甲１発明、甲２発明及び周知技術に基いて、上記相違点２に係る本件発明４の構成とすることは、当業者が容易になし得たことではない。
　よって、本件発明４は、甲１と同一ではなく、また、甲１発明、甲２発明及び周知技術に基いて、当業者が容易に発明をすることができたものではない。
　（イ）甲第２号証を主引用例として検討
　上記（ア）で検討したとおり、本件発明４は、甲１発明、甲２発明及び周知技術に基いて、当業者が容易に発明をすることができたものではないから、甲第２号証を主引用例として検討しても、同様に、本件発明４は、甲２発明、甲１発明及び周知技術に基いて、当業者が容易に発明をすることができたものではない。
５　むすび
　以上のとおりであるから、取消理由通知に記載した取消理由及び特許異議申立書に記載した特許異議申立理由によっては、本件請求項１〜６に係る特許を取り消すことはできない。
　また、他に本件請求項１〜６に係る特許を取り消すべき理由を発見しない。
　よって、結論のとおり決定する。
【異議決定日】
令和３年８月６日（２０２１．８．６）
【訂正の要旨】
審決（決定）の【理由】欄参照。
（５７）【特許請求の範囲】
　【請求項１】
　竿本体が挿通する竿挿通孔が形成され、軸線方向の一端部側にはリール脚の一方の脚先部を固定するための固定フード部が形成され、軸線方向の他端部側の外周面には雄ネジ部が形成された、一部材からなるリールシート本体を備えた筒状リールシートであって、
　リールシート本体は、軸線方向の一端部側に位置し、固定フード部を有する第一筒部と、軸線方向の他端部側に位置し、雄ネジ部を有する第二筒部と、第一筒部と第二筒部を反リール装着側において連結するブリッジ部とを備え、
　リールシート本体には、リール装着側から反リール装着側に向けて凹んだ凹部が竿挿通孔を反リール装着側に越えて深く形成されていて、該凹部により竿挿通孔は分断されて第一筒部と第二筒部にそれぞれ形成されていると共にブリッジ部の内面は竿挿通孔よりも径方向外側に位置し、
　ブリッジ部は、その軸線方向の中途部を軸線方向と直交する方向に切断した横断面視において、外面と内面が共に径方向外側に湾曲した外側凸の横断面形状を有
し、
　
ブリッジ部の外面は、軸線方向に沿って反リール装着側に膨出した形状であり、膨出形状のピーク部は、リール脚の足首部の中心線よりも第二筒部側に位置している
　【請求項２】
　ブリッジ部の第一筒部側の端部における両側縁部は、反リール装着側の半周分を越えてリール装着側に延びていると共に、第一筒部における竿挿通孔の凹部側の開口部から径方向外側に離間している請求項１記載の筒状リールシート。
　【請求項３】
　ブリッジ部の第一筒部側の端部における両側縁部は、固定フード部の開口縁部の左右両端部と連続している請求項２記載の筒状リールシート。
　【請求項４】
　竿本体が挿通する竿挿通孔が形成され、軸線方向の一端部側にはリール脚の一方の脚先部を固定するための固定フード部が形成され、軸線方向の他端部側の外周面には雄ネジ部が形成された、一部材からなるリールシート本体であって、
　軸線方向の一端部側に位置し、固定フード部を有する第一筒部と、軸線方向の他端部側に位置し、雄ネジ部を有する第二筒部と、第一筒部と第二筒部を反リール装着側において連結するブリッジ部とを備え、
　リール装着側から反リール装着側に向けて凹んだ凹部が竿挿通孔を反リール装着側に越えて深く形成されていて、該凹部により竿挿通孔は分断されて第一筒部と第二筒部にそれぞれ形成されていると共にブリッジ部の内面は竿挿通孔よりも径方向外側に位置し、
　ブリッジ部は、その軸線方向の中途部を軸線方向と直交する方向に切断した横断面視において、外面と内面が共に径方向外側に湾曲した外側凸の横断面形状を有
し、
　
ブリッジ部の外面は、軸線方向に沿って反リール装着側に膨出した形状であり、膨出形状のピーク部は、リール脚の足首部の中心線よりも第二筒部側に位置している
　【請求項５】
　請求項１乃至３の何れかに記載の筒状リールシートを備えた釣竿。
　【請求項６】
　ブリッジ部が竿本体から離間していて、第一筒部と第二筒部との間において竿本体が全周に亘って露出している請求項５記載の釣竿。